(57)【特許請求の範囲】
【請求項１】
左右一対の支柱の下端部に連結された、前方及び後方を向くベース脚上に、前後一対のベース棚板が設置され、尚且つ、少なくとも一方の支柱の下端部に連結され、外側方に向かって平面視放射状に延出する一対のラウンドエンドベース脚部材上に、ラウンドエンド棚板を設置した商品陳列棚におけるラウンドエンド棚板設置構造において、前記ラウンドエンド棚板は、前記ベース脚方向に開口する上面視コ字状のラウンドエンドキックプレートをその下面に備えるとともに、前記ラウンドエンド棚板の下面から下方に向かって延出させた支持部材を、前記各ラウンドエンドべース脚部材の外側面に当接させたことを特徴とする商品陳列棚におけるラウンドエンド棚板設置構造。
【請求項２】
前記ラウンドエンド棚板には支柱と嵌合する切欠部が形成されている請求項１に記載の商品陳列棚におけるラウンドエンド棚板設置構造。
【請求項３】
前記ラウンドエンドキックプレートの遊端面が前記ベース脚の外側面に当接するように延設されている請求項１または２に記載の商品陳列棚におけるラウンドエンド棚板設置構造。
【請求項４】
前記ベース脚の上面に前記ベース棚板と前記ラウンドエンド棚板の上面が面一に載置されている請求項１乃至３のいずれかに記載の商品陳列棚におけるラウンドエンド棚板設置構造。
【請求項５】
前記ベース脚と平行をなすように一対の板材で前記支持部材が形成され、それぞれの支持部材の外側端面を前記ラウンドエンドキックプレートの内側面にそれぞれ当接させた請求項１乃至４のいずれかに記載の商品陳列棚におけるラウンドエンド棚板設置構造。
【請求項６】
前記ラウンドエンドキックプレートにおける隅部近傍と、該ラウンドエンドキックプレートと前記支持部材とで形成された隅部近傍に、前記ラウンドエンド棚板の高さを調節するためのアジャスターが取り付けられた請求項１乃至５のいずれかに記載の商品陳列棚におけるラウンドエンド棚板設置構造。
【発明の詳細な説明】
【技術分野】
【０００１】
本発明は、左右一対の支柱の下端部に連結された、前方及び後方を向くベース脚上に、前後一対のベース棚板が設置され、尚且つ、少なくとも一方の支柱の下端部に連結され、外側方に向かって平面視放射状に延出する左右一対のラウンドエンドベース脚上に、ラウンドエンド棚板を設置した商品陳列棚におけるラウンドエンド棚板支持装置に関する。
【背景技術】
【０００２】
従来の商品陳列棚におけるラウンドエンド棚板設置構造は、前後方向を向くベース脚の各遊端部にラウンドエンドキックプレートの各端部を係合し、ベース脚上に設けた支持プレートとラウンドエンドキックプレート上に設けた係止爪にラウンドエンド棚板の裏面を係止するとともに、前後方向を向くベース脚の上部に起立片を設け、尚且つラウンドエンド棚板の内側縁から垂下する垂下片を、前記起立片の内側に係合させることで、ネジ等を用いることなく、商品陳列棚のラウンドエンドにラウンドエンド棚板を強固に取り付けたものがある（例えば、特許文献１参照）。
【０００３】
【特許文献１】特許第２９２９０９３号公報（第２−３頁、第１図）
【発明の開示】
【発明が解決しようとする課題】
【０００４】
しかしながら、特許文献１にあっては、ラウンドエンド棚板をラウンドエンドに取り付ける際に、前述したそれぞれの各部材の係合に関わる組み付け作業によって、手間と時間が掛かってしまう事があった。
【０００５】
本発明は、このような問題点に着目してなされたもので、ラウンドエンド棚板を複雑な取付構造を用いることなく、容易に商品陳列棚のラウンドエンドに取り付けることができるとともに、ラウンドエンドからラウンドエンド棚板を離間させないように堅固に位置固定させた商品陳列棚におけるラウンドエンド棚板支持装置を提供することを目的とする。
【課題を解決するための手段】
【０００６】
上記課題を解決するために、本発明の請求項１に記載の商品陳列棚におけるラウンドエンド棚板設置構造は、左右一対の支柱の下端部に連結された、前方及び後方を向くベース脚上に、前後一対のベース棚板が設置され、尚且つ、少なくとも一方の支柱の下端部に連結され、外側方に向かって平面視放射状に延出する一対のラウンドエンドベース脚部材上に、ラウンドエンド棚板を設置した商品陳列棚におけるラウンドエンド棚板設置構造において、前記ラウンドエンド棚板は、前記ベース脚方向に開口する上面視コ字状のラウンドエンドキックプレートをその下面に備えるとともに、前記ラウンドエンド棚板の下面から下方に向かって延出させた支持部材を、前記各ラウンドエンドべース脚部材の外側面に当接させたことを特徴としている。
この特徴によれば、ラウンドエンド棚板が商品陳列棚のラウンドエンドに載置された際に、ラウンドエンドべース脚部材の外側面に支持部材が当接されることから、ラウンドエンド棚板がラウンドエンドから離間されないように移動規制され、堅固に位置固定される。また、例えば木製を主とした商品陳列棚を作る場合においても、複雑な取付構造を設けることなく、容易にラウンドエンドにラウンドエンド棚板を構築することができる。
【０００７】
本発明の請求項２に記載の商品陳列棚におけるラウンドエンド棚板設置構造は、請求項１に記載の商品陳列棚におけるラウンドエンド棚板設置構造であって、前記ラウンドエンド棚板には支柱と嵌合する切欠部が形成されていることを特徴としている。
この特徴によれば、ラウンドエンド棚板に商品陳列棚の支柱に嵌合される切欠部が形成されることで、ラウンドエンド棚板の据え付け位置が容易に特定され、切欠部を支柱に嵌合させ、支柱に沿って案内させるだけでラウンドエンド棚板を位置固定することが可能となる。
【０００８】
本発明の請求項３に記載の商品陳列棚におけるラウンドエンド棚板設置構造は、請求項１または２に記載の商品陳列棚におけるラウンドエンド棚板設置構造であって、前記ラウンドエンドキックプレートの遊端面が前記ベース脚の外側面に当接するように延設されていることを特徴としている。
この特徴によれば、商品陳列棚のラウンドエンドにラウンドエンド棚板を載置させた際に、前記ラウンドエンドキックプレートの両遊端面が前後のベース脚の外側面に当接されるので、ラウンドエンド棚板が安定的に位置固定される。
【０００９】
本発明の請求項４に記載の商品陳列棚におけるラウンドエンド棚板設置構造は、請求項１乃至３のいずれかに記載の商品陳列棚におけるラウンドエンド棚板設置構造であって、前記ベース脚の上面に前記ベース棚板と前記ラウンドエンド棚板の上面が面一に載置されていることを特徴としている。
この特徴によれば、ベース棚板とラウンドエンド棚板の上面を面一に形成できるので、外観上の美観を損なうことなく、これら両棚板に商品の陳列を連続して行うことができる。
【００１０】
本発明の請求項５に記載の商品陳列棚におけるラウンドエンド棚板設置構造は、請求項１乃至４のいずれかに記載の商品陳列棚におけるラウンドエンド棚板設置構造であって、前記ベース脚と平行をなすように一対の板材で前記支持部材が形成され、それぞれの支持部材の外側端面を前記ラウンドエンドキックプレートの内側面にそれぞれ当接させたことを特徴としている。
この特徴によれば、上面視コ字状のラウンドエンドキックプレートと、左右の支持部材がラウンドエンド棚板の下面の外周を連続的に囲うように設けられているので、ラウンドエンド棚板を強度的に安定した状態で支持できる。
【００１１】
本発明の請求項６に記載の商品陳列棚におけるラウンドエンド棚板設置構造は、請求項１乃至５のいずれかに記載の商品陳列棚におけるラウンドエンド棚板設置構造であって、前記ラウンドエンドキックプレートにおける隅部近傍と、該ラウンドエンドキックプレートと前記支持部材とで形成された隅部近傍に、前記ラウンドエンド棚板の高さを調節するためのアジャスターが取り付けられたことを特徴としている。
この特徴によれば、アジャスターの調整により、ラウンドエンドキックプレートおよび支持部材と、床面との微調整を行うことができるので、ラウンドエンド棚板をより安定した状態で支持することが可能となる。
【発明を実施するための最良の形態】
【００１２】
本発明の実施例を以下に説明する。
【実施例】
【００１３】
図１は、本発明の実施例としての商品陳列棚の全体像を示す斜視図であり、図２は、商品陳列棚の分解組立斜視図であり、図３（ａ）は、ラウンドエンドベース脚の平面図であり、図３（ｂ）は、支柱に取り付けられたラウンドエンドベース脚を示す図２のＢ−Ｂ線の平面図であり、図４は、商品陳列棚のラウンドエンドの底部を示す図１のＡ−Ａ線の底面図であり、図５は、ラウンドエンド棚板とベース棚板の設置関係を示す図４のＣ−Ｃ線の断面図である。
【００１４】
本発明の実施例を図面に基づいて説明すると、商品陳列棚（以下、商品陳列棚１）は、図１に示されるように、デパートやスーパー、コンビニエンス・ストアー等の商品売り場に設置されており、商品陳列棚１に設けられた複数段（本実施例では２段）の前後棚５、ラウンド棚６と、最下段のベース棚板１１、ラウンドエンド棚板１６に複数の商品（図示略）が数多く載置され、消費者が直に商品の取り出しを行えるようになっている。なお、本実施例のベース棚板１１、前後棚５、ラウンド棚６、ラウンドエンド棚板１６の各々の上面の外周には、商品の滑落を防止する柵状のストッパーが設けられている。
【００１５】
この商品陳列棚１は、図２に示されるように、床面２２に上下方向に延びる支柱２、２’（本実施例では木製）が左右一対にて所定間隔離間されて立設されており、これら支柱２、２’間の上端部と下端部に横架材８（本実施例では木製）が架設され枠体が構成されている。この枠体内に仕切パネル７（本実施例では木製）が嵌合され取り付けられている。以下、本実施例では仕切パネル７を商品陳列棚１の中央として、正面側を前方とし、背面側を後方とし、両端部側を左右として説明する。
【００１６】
左右の支柱２には、前後方向に延出するように一対のベース脚１０（本実施例では木製）がＬ字金具により強固に固定され、左右のベース脚１０の先端部の間にはキックプレート９（本実施例では木製）が挟持されるように接着材等で強固に固定されることで、前述した枠体全体が安定的に支持されている。ベース脚１０およびキックプレート９にはベース棚板１１が載置されるととに、キックプレート９の上面に設けられた突起にベース棚板１１の下面に形成された係合凹穴（図示略）が係合され位置固定される。
【００１７】
支柱２には、前後面、左右側面、前後のコーナー面の６面体で形成され、前後面と前後のコーナー面の４面には、上下方向に係合孔３ａが複数形成される取付部材３（本実施例では金属板）が取り付けられ、支柱２’には、前後面に取付部材３が取り付けられている。
【００１８】
これら係合孔３ａの所定の高さ位置には、ブラケット４がそれぞれ取り付けられており、前後面のブラケット４によって前後棚５が安定的に支持され、前後のコーナー面のブラケット４によってラウンド棚６が安定的に支持されている。支柱２の下端部には、後述する固定部材１３と２本の脚部材１４、１５から構成されるラウンドエンドベース脚１２が取り付けられている。
【００１９】
商品陳列棚１のラウンドエンドに設けられるラウンドエンド棚板１６には、支柱２の右側面から前後面と前後のコーナー面に嵌合するように、切欠部１６ａが上下方向に貫通して形成されている。ラウンドエンド棚板１６の下面には、左側面側（ベース脚方向側）が開口する上面視略コ字状のラウンドエンドキックプレート１７（本実施例では木製）が接着剤等で強固に固着され、ラウンドエンドキックプレート１７の開口を閉蓋するように前後に離間して２枚の支持部材１８、１９（本実施例では木製）がベース脚１０と平行をなすように接着剤等で強固に固着されている。
【００２０】
このラウンドエンド棚板１６を商品陳列棚１のラウンドエンドに取り付けるには、支柱２に切欠部１６ａを嵌合させ、支柱２に沿わせながら下方に向けて移動させてラウンドエンドキックプレート１７および支持部材１８、１９の下面を床面２２に設置させることで、ラウンドエンド棚板１６を安定させた状態で載置できる。
【００２１】
このように、ラウンドエンド棚板１６の取付位置が切欠部１６ａと支柱２との嵌合位置で特定されるので、容易にラウンドエンドにラウンドエンド棚板１６を位置固定することが可能となっている。
【００２２】
次いで、支柱２へのラウンドエンドベース脚１２の取り付けについて詳細に説明する。ラウンドエンドベース脚１２は図３（ａ）に示されるように、支柱２の右側面から前後のコーナー面を覆うように金属板を屈曲形成させた固定部材１３に、金属製の脚部材１４、１５が前後のコーナー面に対向して外方に（外側方に向かって平面視放射状に）延出するように溶接されて構成されている。脚部材１４、１５のそれぞれの遊端側の下面には、床面２２との高さ調整を行うアジャスター２０が取り付けられており、固定部材１３は支柱２の前後のコーナー面にはボルト孔が形成されている。
【００２３】
図３（ｂ）に示されるように、ラウンドエンドベース脚１２はボルトで固定部材１３のボルト孔を介して、支柱２の下端部の前後のコーナー面に形成されたねじ穴に螺合されることで、支柱２に堅固に取り付けられ位置ずれが防止されている。
【００２４】
次に、ラウンドエンド棚板１６と前後のベース棚板１１の載置状態を具体的に説明すると、図４に示されるように、ラウンドエンドキックプレート１７の前後部１７ａ、１７ｂの内側面１７ｃ、１７ｄに支持部材１８、１９の外側端面１８ａ、１９ａが当接されており、ラウンドエンド棚板１６の下面の外周を連続的に囲うように設けられているので、ラウンドエンド棚板１６を強度的に安定した状態で支持可能な構成になっている。
【００２５】
ラウンドエンドキックプレート１７の前後方部１７ａ、１７ｂの遊端側は、支持部材１８、１９を越えてベース脚１０に延設されており、ラウンドエンド棚板１６が載置された際に、前後方部１７ａ、１７ｂの両遊端面１７ａ’、１７ｂ’が前後のベース脚１０の外側面に当接されて、ラウンドエンド棚板が安定的に位置固定されている。
【００２６】
さらに、ラウンドエンド棚板１６の載置時に、前後のベース脚１０に対向する前後の脚部材１４、１５の外側面１４ａ、１５ａに、支持部材１８、１９の遊端側が当接されることから、ラウンドエンド棚板１６がラウンドエンドから離間されないように移動規制され、堅固に位置固定される。
【００２７】
つまり、ラウンドエンド棚板１６の左側の方向の動きに対しては、前後のベース脚１０とラウンドキックプレートの両遊端面１７ａ’、１７ｂ’の当接により移動規制され、ラウンドエンド棚板１６の前後および右側の方向の動きに対しては、脚部材１４、１５と支持部材１８、１９の当接により規制されている。
【００２８】
次いで、ラウンドエンドキックプレート１７における隅部近傍と、ラウンドエンドキックプレート１７の前後方部１７ａ、１７ｂと支持部材１８、１９とで形成される隅部近傍には、アジャスター２０を備えたアジャスタ取付部２１が取り付けられている。これらアジャスター２０により床面２２との高さ調整を行うことができるので、ラウンドエンド棚板をより安定した状態で支持することが可能となっている。
【００２９】
図５に示されるように、ベース脚１０には、ラウンドエンド棚板１６の端面と、ベース棚板１１の端面が、わずかな間隙を有して若しくは当接した状態で載置されている。さらに、ベース棚板１１に載置したときに、ラウンドエンド棚板１６とベース棚板１１の上面の高さは面一となるように構成され、アジャスター２０により全体が傾斜のない平坦面になるように微調整される。これにより、外観上の美観を損なうことなく、これら棚板１０、１６に商品の陳列を連続させて載置できる。
【００３０】
以上の説明により本実施例では、複雑な取付構造を設けることなく、例えば木製を主とした商品陳列棚を作る場合においても、容易にラウンドエンド棚板１６を商品陳列棚１のラウンドエンドに取り付けるとともに、ラウンドエンドからラウンドエンド棚板１６を離間させないように堅固に位置固定させることが可能であり、取り外しの際も取り付け具を用いていないので容易に行うことができる。
【００３１】
以上、本発明の実施例を図面により説明してきたが、具体的な構成はこれら実施例に限られるものではなく、本発明の要旨を逸脱しない範囲における変更や追加があっても本発明に含まれ、例えば上記実施例では、ラウンドエンド棚板１６に切欠部１６ａが形成されることで、容易にラウンドエンドにラウンドエンド棚板１６の取付位置が特定されることから好ましいが、本発明はこれに限定されるものではなく、例えば、ラウンドエンド棚板の左側端面に上下に延びる凸部を設け、支柱に上下方向に延びる凹溝を形成させ、凸部と凹溝を緩く嵌合させ、下方にラウンドエンド棚板１６を滑らせてラウンドエンドに設置するようにしても良い。
【００３２】
また、上記実施例では、ラウンドエンド棚板１６を右側のラウンドエンドに設けた例で説明したが、左右両側に設けるようにしても良い。またラウンドエンドベース脚を平面視で放射状に延出する一対の脚部材で構成しているが、一つの扇状部材で構成しても良い。
【００３３】
更に、上記実施例では、木製と主とした商品陳列棚１およびラウンドエンド棚板１６を用いているが、本発明はこれに限定されるものではなく、例えば硬質プラスチック材や金属材を利用して構成しても良く、コストの面で優れ且つ耐久強度のある部材を用いるようにしても良い。
【図面の簡単な説明】
【００３４】
【図１】本発明の実施例における商品陳列棚におけるラウンドエンド棚板設置構造の全体像を示す斜視図である。
【図２】商品陳列棚の分解組立斜視図である。
【図３】（ａ）は、ラウンドエンドベース脚の平面図であり、（ｂ）は、支柱に取り付けられたラウンドエンドベース脚を示す図２のＢ−Ｂ線の平面図である。
【図４】商品陳列棚のラウンドエンドの底部を示す図１のＡ−Ａ線の底面図である。
【図５】ラウンドエンド棚板とベース棚板の設置関係を示す図４のＣ−Ｃ線の断面図である。
【符号の説明】
【００３５】
１                    商品陳列棚
２、２’              支柱
３                    取付部材
３ａ                  係合孔
４                    ブラケット
５                    前後棚
６                    ラウンド棚
７                    仕切パネル
８                    横架材
９                    キックプレート
１０                  ベース脚
１０ａ                外側面
１１                  ベース棚板
１２                  ラウンドエンドベース脚
１３                  固定部材
１４、１５            脚部材（ラウンドエンドべース脚部材）
１４ａ、１５ａ        外側面
１６                  ラウンドエンド棚板
１６ａ                切欠部
１７                  ラウンドエンドキックプレート
１７ａ、１７ｂ        前後方部
１７ａ’、１７ｂ’    遊端面
１７ｃ、１７ｄ        内側面
１８、１９            支持部材
１８ａ、１９ａ        外側端面
２０                  アジャスター
２１                  アジャスター取付部
２２                  床面
【図１】
0004617100.tif 000002
【図２】
0004617100.tif 000003
【図３】
0004617100.tif 000004
【図４】
0004617100.tif 000005
【図５】
0004617100.tif 000006